(57)【要約】【課題】  本発明は、少なくとも二つ以上のパネルからなり、相互重畳して拡張または収縮が可能であり、両端部の支持部材を利用して収納箱の内側壁面に支持され、多様なサイズの収納箱に自由に使用できる長さが調節可能な仕切りに関する。【解決手段】本仕切りは、長さが調節可能な仕切りは、第１パネル、第１パネルと少なくとも一部が重畳し、スライド接触する第２パネル、第１パネルと前記第２パネルのうち何れか一つに形成され、第１パネルと第２パネルのスライド移動の方向と平行な方向に配列された複数の第１ギア歯を含む第１レール部、第１パネルと第２パネルのうち残りの一つに第１レール部に対応する位置に形成され、第１ギア歯に挿入される第１固定突起と第１固定突起が第１ギア歯に挿入されるように弾性力を提供する第１弾持部を含む第１ストッパを含み、第１パネルと第２パネルの重畳区間を調節して長さが調節される。
2014507244.tif 000002
【特許請求の範囲】
【請求項１】
第１パネルと、
前記第１パネルと少なくとも一部が重畳し、スライド接触する第２パネルと、
前記第１パネルと前記第２パネルのうち何れか一つに形成され、前記第１パネルと前記第２パネルのスライド移動の方向と平行な方向に配列された複数の第１ギア歯を含む第１レール部と、
前記第１パネルと前記第２パネルのうち残りの一つに、前記第１レール部に対応する位置に形成され、前記第１ギア歯に挿入される第１固定突起と前記第１固定突起が前記第１ギア歯に挿入されるように弾性力を提供する第１弾持部を含む第１ストッパを含み、前記第１パネルと前記第２パネルの重畳する区間のサイズを調節して長さが調節される、長さが調節可能な仕切り。
【請求項２】
前記第１パネルまたは前記第２パネルと少なくとも一部が重畳し、スライド接触する第３パネルと、
前記第１パネルまたは前記第２パネル、および前記第３パネルのうち何れか一つに形成され、前記第１パネルと前記第２パネルのスライド移動の方向と平行な方向に配列された複数の第２ギア歯を含む第２レール部と、
前記第１パネルまたは前記第２パネル及び前記第３パネルのうち何れか一つに前記第２レール部に対応する位置に形成され、前記第２ギア歯に挿入される第２固定突起と前記第２固定突起が前記第２ギア歯に挿入されるように弾性力を提供する第２弾持部を含む第２ストッパをさらに含む、請求項１に記載の長さが調節可能な仕切り。
【請求項３】
前記第１パネルは、少なくとも一部が前記第２パネルの内側にスライド接触しながら挿入され、前記第２パネルと重畳する区間のサイズが可変する、請求項１または請求項２に記載の長さが調節可能な仕切り。
【請求項４】
前記第１パネルは、少なくとも一部が前記第２パネルの内側にスライド接触しながら挿入され、前記第２パネルとの重畳する区間のサイズが可変し、
前記第３パネルが前記第２パネルの内側にスライド接触しながら挿入されるかまたは前記第１パネルと前記第２パネルのうち何れか一つが前記第３パネルの内側にスライド接触しながら挿入される、請求項２に記載の長さが調節可能な仕切り。
【請求項５】
前記第１パネルと前記第２パネルのうち少なくとも一つに形成され、前記第１パネルと前記第２パネルが互い収縮する方向に弾性力を伝達する第１支持部材をさらに含む、請求項１に記載の長さが調節可能な仕切り。
【請求項６】
前記第１パネルは、前記第２パネルと前記第３パネルとの間に介在し、前記第２パネルと前記第３パネルのうち少なくとも一つに形成され、前記第１パネルと前記第２パネルのスライド移動の方向と平行な方向に弾性力を伝達する支持部材をさらに含む、請求項２に記載の長さが調節可能な仕切り。
【請求項７】
前記支持部材は、
一側が前記第１パネルと前記第２パネルのうち少なくとも一つに固定され、弾性を有する連結部と、
前記弾性部の端部に結合され、前記連結部の幅より大きく拡張され、前記第１パネルと前記第２パネルを支持する拡張部を含む、請求項５または請求項６に記載の長さが調節可能な仕切り。
【請求項８】
前記拡張部の外面に形成されるかまたは前記連結部と拡張部の外面に形成され、前記外面の摩擦力を増加させるノンスリップ部材をさらに含む、請求項７に記載の長さが調節可能な仕切り。
【請求項９】
前記第１固定突起と前記第２固定突起のうち少なくとも一つは、前記第１パネルと前記第２パネルのスライド移動の方向と垂直な面を有する垂直部と前記垂直部と傾斜面をなす傾斜部を含む、請求項１または請求項２に記載の長さが調節可能な仕切り。
【請求項１０】
前記第１パネルと前記第２パネルのうち少なくとも一つ、または前記第１パネル、前記第２パネル及び前記第３パネルのうち少なくとも一つに結合される外部に香を放出する芳香部材をさらに含む、請求項１または請求項２に記載の長さが調節可能な仕切り。
【請求項１１】
前記第１パネルと前記第２パネルのうち何れか一つを貫いて形成され、前記第１パネルと前記第２パネルのスライド移動の方向と平行な方向に延長されたガイドホールと、
前記ガイドホールを通過して前記第１パネルと前記第２パネルのうち残りの一つと結合され、前記ガイドホールが延長された方向にスライドする結合部材を含む、請求項１に記載の長さが調節可能な仕切り。
【発明の詳細な説明】
【技術分野】
【０００１】
本発明は、仕切りに関し、より詳細には収縮または伸張が可能であるため、多様なサイズの収納箱の内部に装着して使用できる長さが調節可能な仕切りに関する。
【背景技術】
【０００２】
通常、収納箱には多様なサイズの様々な種類の物が収納されている。事務室や一般家庭で使用する机の引出しが一例であるが、引出しの中は鉛筆、使い切った廃乾電池、鍵、コインなどの多様な物が保管される。そのため、引出しの中は常に雑然と見え、整理も簡単ではない。
【０００３】
これは、机の引出しに限らず、他の種類の収納箱を使用する際にも同様に発生する問題点である。したがって、多くの場合、収納箱を簡単に整理するために収納箱の内部空間を適当なサイズに分割する仕切りを設置して使用した。
【０００４】
しかしながら、従来に使用していた仕切りは、例えば、内部空間を規格化したフレームを収納箱のサイズに合わせて製作し、これをそのまま収納箱に挿入して使用する場合、効果的に空間分割をすることができず、フレームにより収納箱の内部空間が不要に減ることが多かった。また、ユーザが自身の目的に合わせて空間を区切ることは不可能なことであった。
【０００５】
他の場合、収納箱の内部壁面に沿って一定の間隔で挿入用フレームを形成し、この挿入用フレームのうち一つにパネルを挿して使えるようにした。しかし、収納箱の内部空間の区切りは多少自由になったが、このようなフレームやパネルは、多くの場合、収納箱を制作する工程から一体で形成するため、他のサイズの収納箱に使用できないかまたはそれぞれの収納箱サイズに応じて別の形状のフレーム及びパネルを製作しなければならないなど、その製作や使用が効率的ではなく、パネルの位置も予め設定した地点のみに変更できるという問題点があった。
【先行技術文献】
【特許文献】
【０００６】
【特許文献１】日本国特開２００３−２３０４４５号公報
【特許文献２】韓国登録特許第２０−０３６３４４５号公報
【特許文献３】韓国登録特許第２０−０１８１５８４号公報
【特許文献４】日本国特開２００３−２５０６４６７号公報
【発明の概要】
【発明が解決しようとする課題】
【０００７】
これに、本発明が解決しようとする課題は、収縮または伸張が可能であり、他の補助器具を使用せずに収納箱の内側壁面に支持され得るため、単独で仕切りの機能を果たし、また自由な位置に設置し、ユーザの所望する通りに収納箱の内部空間を区切ることができる長さが調節可能な仕切りを提供しようとするものである。
【０００８】
本発明の技術的課題は、以上で言及した技術的課題に制限されず、言及されていないまた他の技術的課題は次の記載から当業者に明確に理解できるであろう。
【課題を解決するための手段】
【０００９】
前記技術的課題を解決するための本発明の一実施形態による長さが調節可能な仕切りは、第１パネルと、前記第１パネルと少なくとも一部が重畳し、スライド接触する第２パネルと、前記第１パネルと前記第２パネルのうち何れか一つに形成され、前記第１パネルと前記第２パネルのスライド移動の方向と平行な方向に配列された複数の第１ギア歯を含む第１レール部と、前記第１パネルと前記第２パネルのうち残りの一つに、前記第１レール部に対応する位置に形成され、前記第１ギア歯に挿入される第１固定突起と前記第１固定突起が前記第１ギア歯に挿入されるように弾性力を提供する第１弾持部を含む第１ストッパを含み、前記第１パネルと前記第２パネルの重畳する区間のサイズを調節する。
【００１０】
前記長さが調節可能な仕切りは、前記第１パネルまたは前記第２パネルと少なくとも一部が重畳し、スライド接触する第３パネルと、前記第１パネルまたは前記第２パネル、および前記第３パネルのうち何れか一つに形成され、前記第１パネルと前記第２パネルのスライド移動の方向と平行な方向に配列された複数の第２ギア歯を含む第２レール部、前記第１パネルまたは前記第２パネル及び前記第３パネルのうち何れか一つに前記第２レール部に対応する位置に形成され、前記第２ギア歯に挿入される第２固定突起と前記第２固定突起が前記第２ギア歯に挿入されるように弾性力を提供する第２弾持部を含む第２ストッパをさらに含み得る。
【００１１】
前記長さが調節可能な仕切りは、前記第１パネルが少なくとも一部が前記第２パネルの内側にスライド接触しながら挿入され、前記第２パネルとの重畳する区間のサイズが可変し得る。
【００１２】
前記長さが調節可能な仕切りは、前記第１パネルは、少なくとも一部が前記第２パネルの内側にスライド接触しながら挿入され、前記第２パネルとの重畳する区間のサイズが可変し、前記第３パネルが前記第２パネルの内側にスライド接触しながら挿入されるかまたは前記第１パネルと前記第２パネルのうち何れか一つが前記第３パネルの内側にスライド接触しながら挿入され得る。
【００１３】
前記長さが調節可能な仕切りは、前記第１パネルと前記第２パネルのうち少なくとも一つに形成され、前記第１パネルと前記第２パネルが互い収縮する方向に弾性力を伝達する第１支持部材をさらに含み得る。
【００１４】
前記長さが調節可能な仕切りは、前記第１パネルは前記第２パネルと前記第３パネルとの間に介在し、前記第２パネルと前記第３パネルのうち少なくとも一つに形成され、前記第１パネルと前記第２パネルのスライド移動の方向と平行な方向に弾性力を伝達する支持部材をさらに含み得る。
【００１５】
前記長さが調節可能な仕切りは、前記支持部材の一側が前記第１パネルと前記第２パネルのうち少なくとも一つに固定され、弾性を有する連結部と前記弾性部の端部に結合され、前記連結部の幅より大きく拡張され、前記第１パネルと前記第２パネルを支持する拡張部を含み得る。
【００１６】
前記長さが調節可能な仕切りは、前記拡張部の外面に形成されるかまたは前記連結部及び拡張部の外面に形成され、前記外面の摩擦力を増加させるノンスリップ部材をさらに含み得る。
【００１７】
前記長さが調節可能な仕切りは、前記第１固定突起と前記第２固定突起のうち少なくとも一つは前記第１パネルと前記第２パネルのスライド移動の方向と垂直な面を有する垂直部と前記垂直部と傾斜面をなす傾斜部を含み得る。
【００１８】
前記長さが調節可能な仕切りは、前記第１パネルと前記第２パネルのうち少なくとも一つ、または前記第１パネル、前記第２パネル及び前記第３パネルのうち少なくとも一つに結合される外部に香を放出する芳香部材をさらに含み得る。
【００１９】
前記長さが調節可能な仕切りは、前記第１パネルと前記第２パネルのうち何れか一つを貫いて形成され、前記第１パネルと前記第２パネルのスライド移動の方向と平行な方向に延長されたガイドホールと前記ガイドホールを通過し、前記第１パネルと前記第２パネルのうち残りの一つと結合され、前記ガイドホールが延長された方向にスライドする結合部材をさらに含み得る。
【発明の効果】
【００２０】
本発明による長さが調節可能な仕切りは、少なくとも一側端部が伸張または収縮し、多様なサイズの収納箱などにその長さを合わせて使用することができ、他の支持器具及び補助器具、フレームなどを使用せずに固定することができるため、空間区画と空間区画の変更を簡便でかつ自由にできる効果がある。
【図面の簡単な説明】
【００２１】
【図１】本発明による一実施形態による長さが調節可能な仕切りの外観を図示する斜視図である。
【図２】図１の仕切りを分解して図示する分解斜視図である。
【図３】図１の仕切りの第１パネルの一側端部及び第２パネルを図示する正面図である。
【図４】図１の第１ストッパの動作を簡単に示す作動図である。
【図５】図４の第１ストッパが含む第１固定突起と第１ギア歯の作用を簡単に図示する概略図である。
【図６】図４の第１ストッパが含む第１固定突起と第１ギア歯の作用を簡単に図示する概略図である。
【図７】図１の仕切りをＡ−Ａ´線に沿って切断した断面図である。
【図８】図１の仕切りの第１支持部材、第１パネルの一側端部及び第２パネルを縦断して図示する断面図である。
【図９】図１の仕切りの使用例を簡単に図示する概略図である。
【図１０】図１の仕切りの使用例を簡単に図示する概略図である。
【図１１】本発明の他の実施形態による長さが調節可能な仕切りを簡単に図示する概略図である。
【発明を実施するための形態】
【００２２】
本発明の利点及び特徴、これらを達成する方法は添付する図面と共に詳細に後述する実施形態において明確になるであろう。しかし、本発明は、以下で開示する実施形態に限定されるものではなく、互いに異なる多様な形状で実現されるものであり、本実施形態は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。
【００２３】
以下、添付する図面を参照して本発明の望ましい実施形態について説明する。
【００２４】
図１と図２は、それぞれ本発明による一実施形態による長さが調節可能な仕切りの外観を図示する斜視図と図１の仕切りを分解して図示する分解斜視図である。
【００２５】
図１と図２を参照すると、本発明による一実施形態による長さが調節可能な仕切りは、第１パネル１００、第２パネル２００及び第３パネル３００のパネルセットと第１支持部材４００及び第２支持部材５００を含む。
【００２６】
第１パネル１００を間に置き、第１パネル１００の右側と左側のそれぞれの端部に第２パネル２００と第３パネル３００がそれぞれ結合される。第２パネル２００と第３パネル３００は、第１パネル１００と互いに接触してスライドするが、スライドは左側または右側に長さ方向に沿って行われ、第２パネル２００と第３パネル３００は、第１パネル１００から遠くなるかまたは第１パネル１００と互いに近くなり、拡張または収縮し、これによって仕切りの全体の長さが調節される。
【００２７】
第１パネル１００は、第１レール部１１０と第２レール部１２０、これと平行な第１ガイドホール１３０と第２ガイドホール１４０を有し、一側面に挿入溝１５０と通気孔１６０を含み得る。
【００２８】
第１パネル１００は横方向の長さが縦方向の長さより長い長方形の形状を有する板形状に形成される。第１パネル１００は、上端右及び上端左の一側にそれぞれ第１レール部１１０と第２レール部１２０を有するが、第１レール部１１０と第２レール部１２０は、第１パネル１００の長さ方向に互いに平行して延長され形成され得る。第１レール部１１０と第２レール部１２０にはそれぞれ第１ギア歯及び第２ギア歯１２１が一列に並んで配置される。
【００２９】
第１レール部１１０と第２レール部１２０は、互いに並んで隣接して配置される複数の第１ギア歯１１１と第２ギア歯１２１それぞれの連続体である。すなわち、第１ギア歯１１１が並んで配置され第１レール部１１０を形成し、第２ギア歯１２１が並んで配置され第２レール部１２０を形成する。
【００３０】
第１レール部１１０と第２レール部１２０は、その上で第１ストッパ２１０と第２ストッパ３１０がそれぞれのレール部に沿って移動し、第２パネル２００と第３パネル３００が第１パネル１００と長さ方向に互いにスライドするようにガイドし、第２パネル２００と第３パネル３００が第１パネル１００の両端部から互いに同じ平面の上で拡張または収縮できるようにする。
【００３１】
この際、第１レール部１１０に形成された第１ギア歯１１１の間に第１ストッパ２１０に形成された第１固定突起が挿入されると、第１パネル１００と第２パネル２００のスライド接触が停止され、第２レール部１２０に形成された第２ギア歯１２１の間に第２ストッパ３１０に形成された第２固定突起が挿入されると、第１パネル１００と第３パネル３００のスライド接触が停止され、第２パネル２００と第３パネル３００は収縮または拡張を停止して固定される。
【００３２】
第１ガイドホール１３０と第２ガイドホール１４０は、第１パネル１００の右左に位置し、それぞれの位置で第１パネル１００の前面から後面に貫通し、貫通した空間が第１レール部１１０と第２レール部１２０と平行な方向に長く延長されて形成される。それぞれのガイドホールには第１結合部材２３０と第２結合部材３３０が結合され得、第１結合部材２３０と第２結合部材３３０は、第１ガイドホール１３０と第２ガイドホール１４０の内側空間に沿って第１レール部１１０と第２レール部１２０と平行して動くことができる。
【００３３】
挿入溝１５０は、第２パネル２００または第３パネル３００と接触しない地点で第１パネル１００の一面が内側に湾入されるかまたは前面から後面に貫通して形成され得る。このように形成された挿入溝１５０には芳香剤などその他の部材が挿入されるなど必要に応じて多様な用途に使用できる。
【００３４】
通気孔１６０は第１パネル１００を貫いて形成され、第１パネル１００の前面から後面に通気する効果を有する。また、芳香剤などが仕切りの一側に設置される場合、通気孔１６０を介して香が仕切りを通過して移動できる。通気性を向上させるため、第１パネル１００の全体に複数の通気孔１６０が均一に分布するように形成される。
【００３５】
第２パネル２００と第３パネル３００は、第１パネル１００と同様に横方向の長さが縦方向の長さよりさらに長い長方形の板形状で形成され、それぞれ第１ストッパ２１０及び第１結合ホール２２０と第２ストッパ３１０及び第２結合ホール３２０を含む。
【００３６】
第２パネル２００と第３パネル３００は、長方形の板形状を有するが、内側が空いており、第１パネル１００の右端部は第２パネル２００の左端部を介して挿入され、第１パネル１００の左端部は第３パネル３００の右端部を介して挿入される。
【００３７】
この際、第１パネル１００が挿入されない第２パネル２００の右端部及び第３パネル３００の左端部は塞がっており、第１パネル１００が第２パネル２００または第３パネル３００を通過できないようにすることができる。
【００３８】
第２パネル２００と第３パネル３００は、第１パネル１００の両側端部をそれぞれ囲み、第２パネル２００及び第３パネル３００の内側面と第１パネル１００の右端部及び左端部は互いにスライド接触し、第１パネル１００から拡張されるか逆に収縮され得る。
【００３９】
この際、ＡとＢがスライドまたはスライド接触するとは、ＡとＢが少なくとも一つの接触面をそれぞれ含み、それぞれの接触面が接触して滑りながらＡとＢが互いに遠くなったり近くなったりすることをいう。
【００４０】
第２パネル２００と第３パネル３００は、それぞれ第１ストッパ２１０と第２ストッパ３１０を有する。
【００４１】
前述したように、第１パネル１００の上端右には第１レール部１１０が形成され、上端左には第２レール部１２０が形成される。第２パネル２００が第１パネル１００の上端右を囲む際、第１レール部１１０と対応して接触する地点には第１ストッパ２１０が形成され、第３パネル３００が第１パネル１００の上端左を囲む際、第２レール部１２０と対応して接触する地点には第２ストッパ３１０が形成される。
【００４２】
例えば、第１レール部１１０と第２レール部１２０がそれぞれ第１パネル１００の右端の上縁と左端の上縁に沿って形成される場合、第１ストッパ２１０は第２パネル２００の左上の縁に形成され、第２ストッパ３１０は第３パネル３００の右上の縁に形成され得る。
【００４３】
したがって、第１パネル１００と第２パネル２００が互いにスライド接触して拡張または収縮する場合、第１ストッパ２１０は第１レール部１１０と接触しながら第１レール部１１０に沿って動き、第１パネル１００と第３パネル３００が互いにスライド接触して拡張または収縮する場合、第２ストッパ３１０が第２レール部１２０と接触しながら第２レール部１２０に沿って動くようになる。
【００４４】
このようにそれぞれのレール部とストッパが互いに接触すると、それぞれのレール部上に形成されたギア歯とそれぞれのストッパの内側に形成された固定突起が相互間に挿入またはスライドする。それぞれのレール部とストッパについてはより詳細に技術する。
【００４５】
第２パネル２００と第３パネル３００は、それぞれの一側面に第１結合ホール２２０と第２結合ホール３２０を有し、第１結合部材２３０と第２結合部材３３０が結合され得る。
【００４６】
第１パネル１００の両側端部にそれぞれのレール部と互いに平行な第１ガイドホール１３０と第２ガイドホール１４０が形成されることは前述した通りである。第２パネル２００が第１パネル１００の右端部を囲むと、第１結合ホール２２０は第１ガイドホール１３０と重畳し、第３パネル３００が第１パネル１００の左端部を囲むと、第２結合ホール３２０は第２ガイドホール１４０と重畳する。
【００４７】
この際、それぞれの結合ホールはそれぞれのガイドホールの全体と完全に重畳するものではなく、第２パネル２００と第３パネル３００が第１パネル１００とスライドすることによりスライド方向と平行して延長されたガイドホールに沿って動きながら、それぞれのガイドホール上の一地点と重畳する。
【００４８】
第１結合ホール２２０と第２結合ホール３２０は、例えば、ガイドホールの横断面の内側区間の長さと同じ直径を有する円形ホールとしてそれぞれ形成され得る。
【００４９】
第１結合部材２３０と第２結合部材３３０は、第１結合ホール２２０と第２結合ホール３２０を介して第１ガイドホール１３０と第２ガイドホール１４０上の一地点で第１ガイドホール１３０と第２ガイドホール１４０を貫いてそれぞれ第２パネル２００と第３パネル３００と結合される。
【００５０】
第２パネル２００と第３パネル３００は、それぞれの結合部材の結合を解除しなければ、第１パネル１００と互いに拡張されても完全に分離しない。また第１結合部材２３０と第２結合部材３３０は、第１ガイドホール１３０と第２ガイドホール１４０に沿って移動しながら第２パネル２００と第３パネル３００のスライド運動をガイドする。第１結合部材２３０と第２結合部材３３０は、一側に第１結合ホール２２０と第２結合ホール３２０より直径が大きい頭を有するねじまたはリベットなどで形成され得る。
【００５１】
それぞれのガイドホールと結合部材の運動及び各パネル間のスライド運動についてはより詳細に説明する。
【００５２】
以下、図３ないし図６を参照してそれぞれのストッパ及びレール部、ガイドホール及び結合部材の作動についてさらに詳細に説明する。
【００５３】
第１パネル１００の上端右で互いに接触したり結合されたりする第２レール部１２０及び第２ストッパ３１０と第２ガイドホール１４０及び第２結合部材３３０は、第１パネル１００の上端左に対称的に配置された第１レール部１１０及び第１ストッパ２１０と第１ガイドホール１３０及び第１結合部材２３０とその形状及び構成が互いに対称になっており、作用は本質的に同じである。
【００５４】
したがって、一つから他の一つを類推して説明できるため、重複する説明を避けるため、右側の第１レール部１１０及び第１ストッパ２１０と第１ガイドホール１３０及び第１結合部材２３０を基準に説明する。
【００５５】
図３は、図１の仕切りの第１パネルの一側端部及び第２パネルを図示する正面図であり、図４は、図１の第１ストッパの動作を簡単に示す作動図であり、図５及び図６は、図４の第１ストッパが含む第１固定突起と第１ギア歯の作用を簡単に図示する概略図である。
【００５６】
まず、図３を参照すると、第１レール部１１０と平行して第１パネル１００の長さ方向に延長され第１ガイドホール１３０が形成される。
【００５７】
第１ガイドホール１３０は、第１パネル１００を完全に横切って延長されず、第１パネル１００の中央部で一定間隔離隔した地点から始まり、第１パネル１００の右側に延長された後に第１パネル１００の右側末端と再び一定間隔離隔した地点で延長が終わる。
【００５８】
その結果、第１ガイドホール１３０は、第１レール部１１０と平行であるが、第１レール部１１０が形成された区間よりその延長された長さが短い場合もある。
【００５９】
したがって、前述したように、第１ガイドホール１３０の内側を通過して結合された第１結合部材２３０が第１ガイドホール１３０に沿って移動する際、第１ガイドホール１３０の両端で第１結合部材２３０の移動は停止し、第１結合部材２３０と結合された第２パネル２００のスライドも停止する。
【００６０】
これによって、第２パネル２００は収縮しても第１ガイドホール１３０が終わる地点で収縮が停止し、第２パネル２００が完全に収縮した状態でも第１パネル１００は一部分が外部に露出し得る。露出する第１パネル１００の一側面には挿入溝１５０が形成され得る。
【００６１】
また、第２パネル２００が拡張される場合も第１結合部材２３０は第１ガイドホール１３０が終わる地点では拡張を停止するため、第２パネル２００が無理に拡張されて第１パネル１００から離脱することを防止できる。したがって、これを参酌して各ガイドホールの延長された長さを適当に形成できる。
【００６２】
第１ガイドホール１３０は、第１レール部１１０と平行して延長され、一つ以上が形成され得、一つ以上が互いに平行であるが、直接隣接せず、適当な間隔を広げて第１パネル１００の上段から下段に連続して配置すると、二つのパネル間のスライドがさらに安定できる。
【００６３】
第１ストッパ２１０は、第２パネル２００の上端の一側に形成され、第１レール部１１０を上から囲み、第１レール部１１０は第１パネル１００上端右に沿って形成され、第１ストッパ２１０の下で第１ストッパ２１０の内側と接する。この際、第１ストッパ２１０の内側に形成された第１固定突起２１１は第１レール部１１０に並んで配置された第１ギア歯１１１と互いに接触する。
【００６４】
図４を参照すると、第１固定突起２１１は第１ストッパ２１０の内側から下方向に突出しているが、一側に第１レール部１１０が延長された方向、すなわち第１パネル１００と第２パネル２００が互いにスライドする方向と垂直な面を有する垂直部２１１ａが形成され、向い側には傾斜した面を有する傾斜部２１１ｂが形成される。
【００６５】
垂直部２１１ａと傾斜部２１１ｂは、垂直部２１１ａの垂直面は第２パネル２００の収縮方向に向かい、傾斜部２１１ｂの傾斜面は拡張方向に向かうように形成され得る。また、傾斜部２１１ｂは、傾斜面に沿って下へ向かうほど垂直部２１１ａと徐々に近接され、第１固定突起２１１の下段で互いに接して尖角をなすように二つは互い一体に形成され得る。
【００６６】
傾斜部２１１ｂは、傾斜面の傾斜角が一定の斜面に形成されず、第１固定突起２１１の上段から下段に傾斜角が徐々に変化してゆるやかな曲面をなすように形成され得る。
【００６７】
第１ギア歯１１１は第１レール部１１０上に複数が並んで配置されるが、下から上へ突出して形成される。すなわち、第１ギア歯１１１は歯のように一定のパターンで繰り返して突出し、その間に第１固定突起２１１が挿入され得る。
【００６８】
第１ギア歯１１１は左右側が凸に突出して互い対称になるように形成され、ギア歯の間には深い溝が形成され得る。また、第１ギア歯１１１の上部は緩慢に傾斜した傾斜面を有し得る。
【００６９】
第１固定突起２１１が第１ギア歯１１１と互いに接触すると、第１固定突起２１１の尖角の下部は、ギア歯とギア歯の間に挿入され、第１固定突起２１１の突出した長さが長くなると、ギア歯とギア歯の間に形成された溝にさらに深く挿入される場合もある。
【００７０】
一方、第１ストッパ２１０は一側に延長される第１弾支部２１２を有し、第１パネル１００と第２パネル２００が互いにスライドする方向に垂直な方向に弾性力を伝達する。
【００７１】
第１弾支部２１２は、第１ストッパ２１０の第１固定突起２１１が形成された一側端部から水平して延長され延長が終わる地点で第２パネル２００と接合されるが、第１弾支部２１２は延長された部分が弾力的に流動し、第１固定突起２１１に弾性力を伝達できる。
【００７２】
この際、第１弾支部２１２はプラスチックやポリウレタン系列の樹脂が含まれた素材を使用し形成され得、第１弾支部２１２を含む第１ストッパ２１０全体がこのような素材で形成されて弾性力を有するようにすることもできる。但し、この際、第１固定突起２１１部分は相対的に剛性を有する素材に形成され得る。第１弾支部２１２と第２パネル２００が互いに接合される接合部は、接着剤を利用して接着して形成されるかまたは、ねじまたはリベット結合などにより形成され得る。
【００７３】
第１弾支部２１２が伝達する弾性力とこれにより生じる復原力によって第１固定突起２１１は第１レール部１１０が延長されてなす水平面の上下に弾力的に動くことができ、これにより、第１ギア歯１１１と密着して接触するかまたは第１ギア歯１１１の間に挿入され得る。
【００７４】
また、外力を加え、第１ストッパ２１０を持ち上げて第１固定突起２１１を第１レール部１１０から完全に離脱させた後、外力を除去して再び第１レール部１１０と密着して接するようにすることができる。
【００７５】
第１固定突起２１１が垂直部２１１ａ及び傾斜部２１１ｂを有し、第１弾支部２１２が第１固定突起２１１に弾性力を伝達し、第１固定突起２１１は第１ギア歯１１１と互いに接して固定されるかまたは、第１ギア歯１１１と接触しながらスライドし得る。
【００７６】
図５を参照すると、第１固定突起２１１が第１ギア歯１１１の間に完全に挿入された状態で第１固定突起２１１の垂直部２１１ａと傾斜部２１１ｂはそれぞれ互いに向い側の第１ギア歯１１１と相接している。
【００７７】
第１パネル１００と第２パネル２００に外力を加え、二つを収縮させると、それぞれは互いに逆方向に動いてスライドしようとし、この際、第２パネル２００から第１ストッパ２１０に伝達された外力は第１固定突起２１１の垂直部２１１ａを向い側の第１ギア歯１１１に密着させる。
【００７８】
一方、第２パネル２００と逆方向に動こうとする第１パネル１００は第１ギア歯１１１を向い側の垂直部２１１ａに密着させるため、垂直部２１１ａは向い側のギア歯の凸部分に支持されて動くことができない。
【００７９】
したがって、第１固定突起２１１は、第１ギア歯１１１と互いに噛み合って固定され、これにより第１パネル１００と第２パネル２００も互いにスライドしない。この際、垂直部２１１ａと接触するギア歯の接触面を垂直部２１１ａと平行な垂直面で形成し、互い間の接触面積を増加させ得る。
【００８０】
図６を参照すると、第１パネル１００と第２パネル２００に外力を加え、二つを拡張させる場合、それぞれは互いに逆方向にスライドするが、今回は第２パネル２００から伝達された外力が第１固定突起２１１の傾斜部２１１ｂに作用して傾斜部２１１ｂを向い側の第１ギア歯１１１に密着する。
【００８１】
この際も第２パネル２００と逆方向に動こうとする第１パネル１００は傾斜部２１１ｂの向い側の第１ギア歯１１１に外力を伝達し、これを傾斜部２１１ｂ側に押し出すが、傾斜部２１１ｂは傾斜面により外力の方向を変化させて第１固定突起２１１を上側に押し上げる。
【００８２】
これにより、第１固定突起２１１は、第１ギア歯１１１の上面に沿って第１ギア歯１１１と接触しながら第１ギア歯１１１の反対側に移動し、移動された後には弾性力により再び元の位置に復元される。
【００８３】
この際、傾斜部２１１ｂと接触する第１ギア歯１１１の上面に傾斜面またはゆるやかな曲面が含まれるようにすると、第１固定突起２１１がより簡単に移動できる。
【００８４】
すなわち、第１パネル１００と第２パネル２００は、収縮する方向に外力を加えると、第１固定突起２１１と第１ギア歯１１１が互いに噛み合って固定されるが、拡張される方向に外力が加えると、第１固定突起２１１が第１ギア歯１１１と接触しながら第１ギア歯１１１の上下に弾力的に動くため、互いにスライドが可能である。
【００８５】
したがって、第１パネル１００と第２パネル２００は、外部からの力を与えると、互いに拡張されるだけで収縮されず、収縮するためには、第１ストッパ２１０を第１レール部１１０の上部に持ち上げて第１固定突起２１１と第１ギア歯１１１の間の噛み合わせを解除しなければならない。このため、第１ストッパ２１０は把持しやすいように両側端部が若干内側に縮めて形成され得る。
【００８６】
第１ストッパ２１０を持ち上げて所望する長さだけ収縮させた後、第１ストッパ２１０を下ろすと、弾力によって第１ストッパ２１０は元の位置に復帰して第１固定突起２１１は第１ギア歯１１１の間に再び挿入される。
【００８７】
第１固定突起２１１と第１ギア歯１１１は、第１パネル１００と第２パネル２００が拡張する際は互いに噛み合わないが、収縮する際は互いに噛み合って固定されるのは第１固定突起２１１に形成された垂直部２１１ａとこれと向い側に形成された傾斜部２１１ｂがあるからである。したがって、垂直部２１１ａと傾斜部２１１ｂの位置が変わると、第１パネル１００と第２パネル２００の拡張の際は互いに噛み合って固定され、収縮の際は互いに噛み合わない。
【００８８】
したがって、第３パネル３００の場合は、第１パネル１００の左側に拡張されるため、第１パネル１００の右側に拡張される第２パネル２００とは拡張または収縮の際に第１パネル１００とスライドする方向が互いに逆となる。したがって、第２固定突起３１１の垂直部及び傾斜部の位置は第１固定突起２１１と逆に形成されなければならない。
【００８９】
以上第１パネル１００と第２パネル２００を基準にガイドホール及び結合部材、ストッパ及びレール部について説明した。以下では、それぞれの支持部材と仕切りの使用例について説明する。
【００９０】
第１支持部材４００及び第２支持部材５００は、長さが調節可能な仕切り１の両端部に設置される。第２支持部材５００も第１支持部材４００と形状及び機能が同じであるため、説明の重複を避けるため、第１支持部材４００を基準にそれぞれについて説明する。
【００９１】
図７は、図１の仕切りをＡ−Ａ´線に沿って切断した断面図であり、図８は、図１の仕切りの第１支持部材、第１パネルの一側端部及び第２パネルを縦断して図示する断面図である。
【００９２】
図７を参照すると、第１支持部材４００は両端部が広く拡張された拡張部４３０を有する。図面のように拡張部４３０は、仕切りの長さ方向と垂直な面に第２パネル２００の断面より広く広がっており、仕切りを垂直に立てる際、収納箱の内側壁面に広く接触し、仕切りを支持できる。
【００９３】
また、第１パネル１００、第２パネル２００及び第３パネル３００は、その断面をみるとき、上部及び下部は中央部よりさらに厚く形成され得る。したがって、第１支持部材４００及び第２支持部材５００の拡張部４３０のようにその断面が上下に広めに広がっている形状になり、したがって、垂直に立てる際、さらに安定的になる。
【００９４】
図８を参照すると、第１支持部材４００は両端部に形成された拡張部４３０の間に連結部４２０を有する。連結部４２０は第２パネル２００の右端部に連結され、拡張部４３０を互いに連結して第１支持部材４００全体の形状を維持させ、第１支持部材４００が一定の角度に曲がって全体的にアーチ形状を有するように形成される。
【００９５】
この際、拡張部４３０は、アーチの柱になって第１支持部材４００を支え、連結部４２０に支持力を伝達する。
【００９６】
したがって、拡張部４３０が収納箱の内側壁面を支持する際、連結部４２０は第２パネル２００がスライドする方向と平行して弾力的に流動しながら第２パネル２００に外力を加え得る。この際、連結部４２０は金属材など弾性を有する材料で拡張部４３０と互いに一体に形成され得る。
【００９７】
第１支持部材４００が連結部４２０に伝達した支持力によって連結部４２０は第２パネル２００の端部を押し、第２パネル２００が第１パネル１００方向に収縮するようにする。
【００９８】
しかし、前述したように、第１ストッパ２１０を上に持ち上げて第１固定突起２１１と第１ギア歯１１１との間の噛み合わせを解除しなければ、第１パネル１００と第２パネル２００は互いに収縮できないため、第１パネル１００と第２パネル２００は、第２パネル２００が収縮する方向にその全体が押される。
【００９９】
この際、仕切りの左端部に設置された第２支持部材５００はこれと逆方向に支持力を伝達する。
【０１００】
第２支持部材５００は、また他の収納箱の内側壁面に支持され、第３パネル３００に支持力を伝達して第１パネル１００と互いに収縮するようにするが、第２ストッパ３１０によって第３パネル３００と第１パネル１００も互いに収縮できず、二つは共に第３パネル３００が収縮する方向に押される。
【０１０１】
第２パネル２００の収縮方向と第３パネル３００の収縮方向が逆であることは前述した通りである。したがって、第１支持部材４００と第２支持部材５００が互いに逆方向に伝達する支持力は、第１パネル１００、第２パネル２００及び第３パネル３００のパネルセットの内部でバランスをとるようになり、仕切りは収納箱の一側壁面と他側壁面との間で支持され、安定して固定される。
【０１０２】
また、第１支持部材４００と第２支持部材５００は、それぞれの外面に第１ノンスリップ部材４１０と第２ノンスリップ部材４１０を形成することができる。それぞれのノンスリップ部材は、天然または合成のゴム材質で形成され、それぞれの支持部材ごとに結合されるかまたは第１支持部材４００と第２支持部材５００の外側面にコーティングする。
【０１０３】
第１ノンスリップ部材４１０と第２ノンスリップ部材４１０は、収納箱内側の外壁と摩擦し、それぞれの支持部材が最初に位置した地点から離隔したり滑ったり移動しないようにし、仕切りの安全性を高める。
【０１０４】
図９ないし図１０は、図１の仕切りの使用例を簡単に図示する概略図である。
【０１０５】
長さが調節可能な仕切り１は、互いに規格が他の多様なサイズの収納箱に使用できる。
【０１０６】
図９ないし図１０を参照すると、長さが調節可能な仕切り１は、収縮し、小さい収納箱に固定されるか、または拡張されてサイズが大きい収納箱に固定され得、第１支持部材４００と第２支持部材５００が両側面に届く長さでは何れの場所でも固定できる。
【０１０７】
図面上では収納箱の一側壁面と水平一方向のみ例示しているが、第１支持部材４００と第２支持部材５００が互いに支持されると、仕切りは収納箱の内部に対角線方向にも固定できる。この際、それぞれの支持部材は、壁面の角度によって左側または右側に少し歪むため、支持される角度が変わる場合もある。
【０１０８】
また、仕切りは、収納箱の内側に一つ以上を設置し、収納箱の内部を二つ以上の領域に区切って使用することもできる。
【０１０９】
以下、図１１を参照して本発明の他の実施形態による長さが調節可能な仕切りについて説明する。
【０１１０】
図１１は、本発明の他の実施形態による長さが調節可能な仕切りを簡単に図示する概略図である。
【０１１１】
本発明の他の実施形態による長さが調節可能な仕切りは、芳香部材６００をさらに含む。
【０１１２】
芳香部材６００は、一面に香を放出する芳香剤を含み、他面には挿入突起６１０を有し、第１パネル１００の中央部に形成された挿入溝１５０に結合され得る。芳香剤は、芳香部材６００の形成の際に混合して芳香部材６００と一体に形成されるか、または芳香部材６００の一面に埋め込むことができ、芳香部材６００の一面に内側に湾入した収容部を設けて収容するように形成できる。
【０１１３】
芳香部材６００は、一側面に複数の貫通ホールを形成し、通気孔１６０を通過した空気が直接芳香部材６００に貫通して通気効果及び方向効果を向上できるようにする。
【０１１４】
図１１を参照すると、挿入突起６１０は芳香部材６００の他面にこれと垂直方向に突出するが、突出した端部が一側に屈折し、挿入溝１５０の内側面に密着するかまたは挿入溝１５０を通過して反対側にかかって固定され得る。
【０１１５】
挿入突起６１０は、挿入溝１５０の内部に挿入されて固定されるが、突出した端部が屈折した逆方向に移動するように圧力を加えると、突出した端部が挿入溝１５０の内側面から離隔するかまたは挿入溝１５０との噛み合わせが解除され、挿入突起６１０は固定が解除される。
【０１１６】
したがって、芳香部材６００は第１パネル１００に結合されるが、着脱が可能であるため、ユーザの好みに合わせて仕切りに結合して使用するか、または使用しなくてもよく、芳香剤の寿命が終わった場合や他の香りに変えたい場合は、新たな芳香部材６００に取り替えて使用できる。
【０１１７】
以上添付する図面を参照して本発明の実施形態について説明したが、本発明が属する技術分野で通常の知識を有する者は、本発明がその技術的思想や必須の特徴を変更せず、他の具体的な形態に実施され得ることを理解することができる。したがって、上記実施形態はすべての面で例示的なものであり、限定的なものではないと理解しなければならない。
【産業上の利用可能性】
【０１１８】
本発明による長さが調節可能な仕切りは、少なくとも一側端部が伸張または収縮するため、多様なサイズの収納箱などにその長さを合わせて使用することができ、他の支持器具及び補助器具、フレームなどを使用せずに固定することができるため、産業上利用可能性がある。
【符号の説明】
【０１１９】
１    長さが調節可能な仕切り
１００    第１パネル
１１０    第１レール部
１１１    第１ギア歯
１２０    第２レール部
１２１    第２ギア歯
１３０    第１ガイドホール
１４０    第２ガイドホール
１５０    挿入溝
１６０    通気孔
２００    第２パネル
２１０    第１ストッパ
２１１    第１固定突起
２１１ａ    垂直部
２１１ｂ    傾斜部
２１２    第１弾持部
２２０    第１結合ホール
２３０    第１結合部材
３００    第３パネル
３１０    第２ストッパ
３１１    第２固定突起
３２０    第２結合ホール
３３０    第２結合部材
４００    第１支持部材
４１０    ノンスリップ部材
４２０    連結部
４３０    拡張部
５００    第２支持部材
６００    芳香部材
６１０    挿入突起
2014507244.tif 000003
2014507244.tif 000004
2014507244.tif 000005
2014507244.tif 000006
2014507244.tif 000007
2014507244.tif 000008
2014507244.tif 000009
2014507244.tif 000010
2014507244.tif 000011
2014507244.tif 000012
2014507244.tif 000013
【図１】
2014507244.tif 000014
【図２】
2014507244.tif 000015
【図３】
2014507244.tif 000016
【図４】
2014507244.tif 000017
【図５】
2014507244.tif 000018
【図６】
2014507244.tif 000019
【図７】
2014507244.tif 000020
【図８】
2014507244.tif 000021
【図９】
2014507244.tif 000022
【図１０】
2014507244.tif 000023
【図１１】
2014507244.tif 000024
【国際調査報告】
2014507244.tif 000025
2014507244.tif 000026
2014507244.tif 000027
2014507244.tif 000028